(57)【要約】【課題】利用者にとってより便利で、管理者にとっても自転車の盗難防止、自転車の放置等の問題を懸念する必要のない自転車貸出システムを提供する。【解決手段】貸出対象の自転車５に設置され、ＩＤ及びパスワードを記憶し、携帯端末装置２と通信可能な電子錠６と、電子錠を解錠するためのＩＤ及びパスワードを記憶し、電子錠と通信可能な携帯端末装置と、貸出対象の自転車のＩＤ、パスワード及び利用可能領域を関連づけて記憶し、携帯端末装置と通信可能なサーバ４とで構成され、サーバは、携帯端末装置から利用可能領域の追加要求又は変更要求を受けると、追加要求又は変更要求を受けた利用可能領域を記憶されている利用可能領域に追加するか利用可能領域の変更を行ってＩＤ及びパスワードと関連づけて記憶し、携帯端末装置が、サーバに記憶された利用可能領域に位置する場合にのみ、携帯端末装置に電子錠への解錠許可信号を送出する自転車貸出システム１。【選択図】図４
2019117496.tif 000002
【特許請求の範囲】
【請求項１】
貸出対象の自転車に設置され、ＩＤ及びパスワードを記憶し、携帯端末装置と通信可能な電子錠と、
該電子錠を解錠するためのＩＤ及びパスワードを記憶し、前記電子錠と通信可能な携帯端末装置と、
貸出対象の自転車のＩＤ、パスワード及び利用可能領域を関連づけて記憶し、前記携帯端末装置と通信可能なサーバとで構成され、
該サーバは、前記携帯端末装置から利用可能領域の追加要求又は変更要求を受けると、該追加要求又は変更要求を受けた利用可能領域を前記記憶されている利用可能領域に追加するか利用可能領域の変更を行って前記ＩＤ及びパスワードと関連づけて記憶し、前記携帯端末装置が、該サーバに記憶された利用可能領域に位置する場合にのみ、該携帯端末装置に前記電子錠への解錠許可信号を送出することを特徴とする自転車貸出システム。
【請求項２】
貸出対象の自転車に設置された電子錠を解錠するためのＩＤ及びパスワードを記憶し、前記電子錠と、自転車貸出システムを管理するサーバとに通信可能な携帯端末装置であって、
前記サーバに対して利用可能領域の追加要求又は変更要求を行うと、前記サーバは、該追加要求又は変更要求を受けた利用可能領域を記憶している利用可能領域に追加するか利用可能領域の変更を行って前記ＩＤ及びパスワードと関連づけて記憶し、前記携帯端末装置が、該サーバに記憶された利用可能領域に位置する場合にのみ、該携帯端末装置に前記電子錠への解錠許可信号を送出することを特徴とする携帯端末装置。
【請求項３】
貸出対象の自転車に設置された電子錠を解錠するための携帯端末装置と通信可能であると共に、前記自転車のＩＤ、パスワード及び利用可能領域を関連づけて記憶したサーバであって、
該サーバは、前記携帯端末装置から利用可能領域の追加要求又は変更要求を受けると、該追加要求又は変更要求を受けた利用可能領域を前記記憶されている利用可能領域に追加するか利用可能領域の変更を行って前記ＩＤ及びパスワードと関連づけて記憶し、前記携帯端末装置が、該サーバに記憶された利用可能領域に位置する場合にのみ、該携帯端末装置に前記電子錠への解錠許可信号を送出することを特徴とする自転車貸出システム管理用サーバ。
【発明の詳細な説明】
【技術分野】
【０００１】
本発明は、自転車貸出システムであって、特に個々の利用者の利便性を向上させた自転車貸出システムに関する。
【背景技術】
【０００２】
従来、通勤や通学時に最寄り駅までの足として自転車を貸し出すシステムが存在する。一例として、図６に示す自転車貸出システム５１では、自宅５２から学校５３へ通う学生は、朝、自宅５２からＢ駐輪場５４へ徒歩で行き、Ｂ駐輪場５４で自転車を借りてＡ駐輪場５５まで行き、Ａ駐輪場５５で自転車を返却し、Ａ駅５６まで徒歩で行き、Ａ駅５６から電車でＢ駅５７まで行き、Ｂ駅５７から徒歩で学校５３に行く。また、夕方帰宅する際には、上記と反対の経路を辿る。
【０００３】
上記自転車貸出システム５１では、登録している自転車の盗難を防止したり、自転車の放置による迷惑を回避するため、Ｂ駐輪場５４及びＡ駐輪場５５においてのみ自転車を借りて返却することができるように契約されている。また、両駐輪場５４、５５以外の場所、例えばレストラン５８に一時的に自転車を止めることもできるが、両駐輪場５４、５５以外の場所に所定の時間を超えて駐輪させると課金されるシステムとなっている。
【先行技術文献】
【特許文献】
【０００４】
【特許文献１】特開２０１５−１１３６８６号公報
【発明の概要】
【発明が解決しようとする課題】
【０００５】
しかし、上記自転車貸出システム５１では、基本的に両駐輪場５４、５５においてのみ自転車を借りて返却する必要があるため、自宅５２から学校５３へ通うのに、Ｂ駐輪場５４、Ａ駐輪場５５、Ａ駅５６、Ｂ駅５７を経由する必要があり、必ずしも便利とは言えず、改善の余地があった。
【０００６】
そこで、本発明は、上記従来技術における問題点に鑑みてなされたものであって、利用者にとってより便利で、管理者にとっても自転車の盗難防止、自転車の放置等の問題を懸念する必要のない自転車貸出システムを提供することを目的とする。
【課題を解決するための手段】
【０００７】
上記目的を達成するため、本発明は、自転車貸出システムであって、貸出対象の自転車に設置され、ＩＤ及びパスワードを記憶し、携帯端末装置と通信可能な電子錠と、該電子錠を解錠するためのＩＤ及びパスワードを記憶し、前記電子錠と通信可能な携帯端末装置と、貸出対象の自転車のＩＤ、パスワード及び利用可能領域を関連づけて記憶し、前記携帯端末装置と通信可能なサーバとで構成され、該サーバは、前記携帯端末装置から利用可能領域の追加要求又は変更要求を受けると、該追加要求又は変更要求を受けた利用可能領域を前記記憶されている利用可能領域に追加するか利用可能領域の変更を行って前記ＩＤ及びパスワードと関連づけて記憶し、前記携帯端末装置が、該サーバに記憶された利用可能領域に位置する場合にのみ、該携帯端末装置に前記電子錠への解錠許可信号を送出することを特徴とする。
【０００８】
また、本発明は、貸出対象の自転車に設置された電子錠を解錠するためのＩＤ及びパスワードを記憶し、前記電子錠と、自転車貸出システムを管理するサーバとに通信可能な携帯端末装置であって、前記サーバに対して利用可能領域の追加要求又は変更要求を行うと、前記サーバは、該追加要求又は変更要求を受けた利用可能領域を記憶している利用可能領域に追加するか利用可能領域の変更を行って前記ＩＤ及びパスワードと関連づけて記憶し、前記携帯端末装置が、該サーバに記憶された利用可能領域に位置する場合にのみ、該携帯端末装置に前記電子錠への解錠許可信号を送出することを特徴とする。
【０００９】
さらに、本発明は、貸出対象の自転車に設置された電子錠を解錠するための携帯端末装置と通信可能であると共に、前記自転車のＩＤ、パスワード及び利用可能領域を関連づけて記憶した自転車貸出システム管理用サーバであって、該サーバは、前記携帯端末装置から利用可能領域の追加要求又は変更要求を受けると、該追加要求又は変更要求を受けた利用可能領域を前記記憶されている利用可能領域に追加するか利用可能領域の変更を行って前記ＩＤ及びパスワードと関連づけて記憶し、前記携帯端末装置が、該サーバに記憶された利用可能領域に位置する場合にのみ、該携帯端末装置に前記電子錠への解錠許可信号を送出することを特徴とする。
【００１０】
上記自転車貸出システム等によれば、携帯端末装置から利用可能領域の追加要求又は変更要求を受けると、サーバが該追加要求又は変更要求を受けた利用可能領域を前記記憶されている利用可能領域に追加するか利用可能領域の変更を行うことができるため、利用者にとって利便性が向上し、管理者にとっても自転車貸出システムの安全性等を維持することができる。
【発明の効果】
【００１１】
以上のように、本発明によれば、利用者にとってより便利で、管理者にとっても自転車の盗難防止、自転車の放置等の問題を懸念する必要のない自転車貸出システムを提供することができる。
【図面の簡単な説明】
【００１２】
【図１】本発明に係る自転車貸出システムの一実施の形態を示す概略全体図である。
【図２】図１の自転車貸出システムを構成する携帯端末装置を示すブロック図である。
【図３】図１の自転車貸出システムを構成するサーバを示すブロック図である。
【図４】図１の自転車貸出システムの使用例を説明するための概略図である。
【図５】図１の自転車貸出システムの動作を説明するためのフロー図である。
【図６】従来の自転車貸出システムの一例を説明するための概略図である。
【発明を実施するための形態】
【００１３】
次に、本発明を実施するための形態について図面を参照しながら詳細に説明する。
【００１４】
図１は、本発明に係る自転車貸出システムの一実施の形態を示し、この自転車貸出システム１は、貸出対象の各々の自転車（以下単に「自転車」という。）５に設置された電子錠６と、この電子錠６と通信可能な携帯端末装置（以下「携帯端末」という。）２（２Ａ〜２Ｃ）と、携帯端末２とネットワーク３を介して通信可能なサーバ４とで構成される。
【００１５】
電子錠６は各々の自転車５に設置され、電子錠６を閉じると、例えば、自転車５の後輪がロックされ、電子錠６を開くと後輪のロックが解除されて自転車５が使用可能になる。電子錠６は、ＩＤ及びパスワードを記憶し、自転車５の利用者が、携帯端末２を電子錠６にかざすと、携帯端末２に保存されているＩＤ及びパスワードと自転車５の電子錠６に記憶されているＩＤ及びパスワードが照合され、合致すれば電子錠６が解錠するように構成される。
【００１６】
携帯端末２は、図２に示すように、ＧＰＳ受信部１１、操作部１２、制御部１３、表示部１７、記憶部１８等で構成される。この携帯端末２として、スマートフォン等の携帯電話端末を利用することもできる。
【００１７】
ＧＰＳ受信部１１は、ＧＰＳ衛星からのＧＰＳ信号をＧＰＳアンテナを介して受信する。このＧＰＳ信号を用いて携帯端末２の位置を特定し、後述するサーバ４における自転車５の解錠許可信号の生成に利用する。
【００１８】
操作部１２は、自転車貸出システム１の利用者が操作するための操作子が所定に設けられ、操作子に対する操作に応じた制御信号を出力する。操作子としては、例えば、携帯端末２の電源をＯＮ／ＯＦＦするための電源キーや、自転車貸出システム１の各種の設定や操作を行うためのキー等が設けられる。表示部１７がタッチパネルディスプレイの場合には、各種キーがソフトウェアキーとして表示部１７に表示されるようにしてもよい。
【００１９】
表示部１７は、例えばＬＣＤや有機ＥＬディスプレイからなり、ＬＣＤや有機ＥＬディスプレイ上にタッチセンサを有するタッチパネルが積層されたタッチパネルディスプレイを用いることができる。
【００２０】
記憶部１８は、例えばＨＤＤやフラッシュメモリであり、操作部１２から入力された情報や、自転車貸出システム１を運用するためのソフトウエア、各種データが記憶される。
【００２１】
制御部１３は、この携帯端末２の全体を制御し、入力制御部１４、表示制御部１５、通信制御部１６等を有する。
【００２２】
入力制御部１４は、操作部１２から供給される利用者の操作に応じた制御信号に基づき、入力内容や選択内容を判別し、操作信号を出力する。
【００２３】
表示制御部１５は、表示部１７の画像表示を制御する。例えば、表示制御部１５は、操作部１２に対する利用者の操作に応じて表示部１７の表示画面を切り替える処理等を行う。
【００２４】
通信制御部１６は、所定のプロトコルに従い、電子錠６やサーバ４との通信制御を行う。
【００２５】
サーバ４は、図３に示すように、図１に示したネットワーク３を介して、複数の携帯端末２と通信を行うための通信制御部２１と、各自転車５の電子錠６に割り当てられたＩＤ、パスワード及び利用可能領域を関連づけたデータ等を記憶する記憶部２２と、携帯端末２に電子錠６を解錠するための解錠許可信号を送出する解錠許可信号生成部２３等を備える。
【００２６】
次に、上記構成を有する自転車貸出システム１の動作について、図４及び図５を中心に参照しながら説明する。
【００２７】
自転車貸出システム１を提供するにあたって、まずサーバ４は、表１に示すように、各々の自転車５で用いるＩＤ及びパスワードと、自転車５を利用することが可能な領域（例えば、図４に示すＢ駐輪場５４、Ａ駐輪場５５等）に関する情報を関連づけて記憶する。例えば、同表の自転車Ｎｏ．１は、ＩＤが「○○○」、パスワードが「ＸＸＸＸＸＸ」で、Ａ駐輪場５５、Ｂ駐輪場５４で利用可能である。
【００２８】
【表１】
2019117496.tif 000003
【００２９】
この自転車Ｎｏ．１の利用者であって自宅５２から学校５３へ通う学生は、朝、自宅５２からＢ駐輪場５４へ徒歩で行き、Ｂ駐輪場５４において、携帯端末２を自転車５の電子錠６にかざすと、図５に示すように、携帯端末２に保存されているＩＤ及びパスワードと自転車５の電子錠６に記憶されているＩＤ及びパスワードが照合され、合致すれば電子錠６は、携帯端末２に解錠許可信号を送信する。
【００３０】
電子錠６から解錠許可信号を受けた携帯端末２は、次に、サーバ４に解錠要求信号を送信する。携帯端末２からの解錠要求信号を受けたサーバ４は、記憶部２２に記憶されている表１に記載の情報から、携帯端末２が利用可能領域にあるか否かを判断し、利用可能領域にある場合には、解錠許可信号生成部２３で解錠許可信号を生成して携帯端末２に送信する。サーバ４から解錠許可信号を受けた携帯端末２は、電子錠６に解錠信号を送出し、これを受けた電子錠６は解錠し、利用者は、自転車でＡ駐輪場５５まで行き、Ａ駐輪場５５で自転車を返却する。自転車を返却すると、例えば、自転車が所定時間以上移動していないことを検知して施錠される。
【００３１】
その後、利用者は、Ａ駅５６まで徒歩で行き、Ａ駅５６から電車でＢ駅５７まで行き、Ｂ駅５７から徒歩で学校５３に行く。また、夕方帰宅する際には、上記と反対の経路を辿る。尚、利用可能なＢ駐輪場５４、Ａ駐輪場５５以外の場所に駐輪させることも可能であるが、所定の時間を超えて駐輪させると課金される。
【００３２】
上記利用形態は、自転車の利用可能な場所が予め定められているため、自転車貸出システム１の管理者にとっては自転車の盗難防止、自転車の放置等の問題を懸念する必要がなく好ましい。しかし、利用者にとっては、背景技術の欄で述べた従来方式と同じであり、必ずしも便利とは言えず、改善の余地があった。
【００３３】
そこで、本発明に係る自転車貸出システム１では、図４に示すように、例えば、利用者が自宅の敷地内にＡ個人駐輪場５９、学校５３の敷地内又は近所にＢ個人駐輪場６０を設定することができるようにしている。すなわち、図５に示すように、携帯端末２がサーバ４に個人駐輪場追加要求をすると、これを受けたサーバ４の管理者は、追加要求のあった個人駐輪場が自転車の盗難防止を図ることができる場所であり、かつ自転車の放置等の問題を引き起こすことがないことを確認した後、新たな利用可能領域としてＩＤ及びパスワードと関連づけて記憶部２２に記憶する。上記例の場合には、自転車Ｎｏ．４に、Ａ個人駐輪場５９及びＢ個人駐輪場６０が追加されている。
【００３４】
Ａ個人駐輪場５９及びＢ個人駐輪場６０が追加されたことで、自転車Ｎｏ．４の利用者は、自宅５２から学校５３へ通う際に、朝、自宅５２のＡ個人駐輪場５９において、携帯端末２を自転車５の電子錠６にかざすと、上記Ｂ駐輪場５４で行った動作と同様の動作がＡ個人駐輪場５９でも行われて電子錠６が解錠し、自転車５を利用することができる。
【００３５】
Ａ個人駐輪場５９で自転車５に乗った利用者は、学校５３の敷地内又は近所にＢ個人駐輪場６０を所有しているため、直接Ｂ個人駐輪場６０まで自転車５で行き、Ｂ個人駐輪場６０に自転車５を保管することができる。また、夕方帰宅する際には、上記と反対の経路を辿る。このように、自転車Ｎｏ．４の利用者は、Ｂ駐輪場５４、Ａ駐輪場５５、Ａ駅５６、Ｂ駅５７を経由する必要がなくなり、大幅に利便性が向上する。また、自転車貸出システム１の管理者にとっても、自転車の盗難・放置等の問題を懸念することがないため、安心して自転車貸出システム１を継続することができる。
【００３６】
尚、上記実施の形態においては、携帯端末２がサーバ４に個人駐輪場追加要求をすると、これを受けたサーバ４が、新たな利用可能領域としてＩＤ及びパスワードと関連づけて記憶部２２に追加して記憶したが、新たな利用可能領域のみを記憶部２２に記憶してもよい。すなわち、利用可能領域の追加ではなく、利用可能領域を変更することもできる。
【符号の説明】
【００３７】
１  自転車貸出システム
２（２Ａ〜２Ｃ）  携帯端末
３  ネットワーク
４  サーバ
５  自転車
６  電子錠
１１  ＧＰＳ受信部
１２  操作部
１３  制御部
１４  入力制御部
１５  表示制御部
１６  通信制御部
１７  表示部
１８  記憶部
２１  通信制御部
２２  記憶部
２３  解錠許可信号生成部
５１  自転車貸出システム
５２  自宅
５３  学校
５４  Ｂ駐輪場
５５  Ａ駐輪場
５６  Ａ駅
５７  Ｂ駅
５８  レストラン
５９  Ａ個人駐輪場
６０  Ｂ個人駐輪場
【図１】
2019117496.tif 000004
【図２】
2019117496.tif 000005
【図３】
2019117496.tif 000006
【図４】
2019117496.tif 000007
【図５】
2019117496.tif 000008
【図６】
2019117496.tif 000009